(57)【要約】【課題】  外部磁界が印加されても記録媒体上のデータを消去させない磁気ヘッドを提供する。【解決手段】  補助磁極３、下部再生シールド８、上部再生シールド９の浮上面と反対側の面に少なくとも一つ段差が設けられて凹部を設けるように形成する。【選択図】  図１
2006114160.tif 000002
【特許請求の範囲】
【請求項１】
主磁極及び補助磁極を有する垂直磁気記録ヘッドと、
下部シールド、上部シールド、及び前記下部シールドと上部シールドの間に形成された磁気抵抗効果素子を有する再生ヘッドとを備え、
前記補助磁極、下部シールド又は上部シールドの少なくとも１つは、浮上面と反対側の面において、トラック幅方向の端部における素子高さ方向の高さよりも素子高さ方向の高さが低い凹部を有することを特徴とする磁気ヘッド。
【請求項２】
請求項１記載の磁気ヘッドにおいて、前記凹部のトラック幅方向の幅は、当該凹部が設けられている前記補助磁極、下部シールド又は上部シールドの浮上面に露出している部分のトラック幅方向の幅より小さいことを徴とする磁気ヘッド。
【請求項３】
請求項１記載の磁気ヘッドにおいて、前記補助磁極は、前記主磁極のトレーリング側に形成されていることを特徴とする磁気ヘッド。
【請求項４】
請求項1記載の磁気ヘッドにおいて、前記凹部の深さをＬ１とし、前記凹部の底面と浮上面との距離をＬ２とするとき、Ｌ１／Ｌ２が０．５以上であることを特徴とする磁気ヘッド。
【請求項５】
請求項１記載の磁気ヘッドにおいて、前記凹部には磁性材料が充填されており、充填された磁性材料の透磁率は、当該凹部が形成されている前記補助磁極、下部シールド又は上部シールドの透磁率よりも小さいことを特徴とする磁気ヘッド。
【請求項６】
請求項１記載の磁気ヘッドにおいて、前記凹部が形成された補助磁極、下部シールド又は上部シールドは、浮上面側において、トラック幅方向の端部が中央部よりも素子高さ方向に後退していることを特徴とする磁気ヘッド。
【請求項７】
請求項６記載の磁気ヘッドにおいて、前記トラック幅方向の端部が中央部より後退した部分には磁性材料が充填されており、前記磁性材料の透磁率は、当該凹部が形成されている前記補助磁極、下部シールド又は上部シールドの透磁率よりも小さいことを特徴とする磁気ヘッド。
【請求項８】
請求項１記載の磁気ヘッドにおいて、前記凹部を複数有することを特徴とする磁気ヘッド。
【請求項９】
請求項１記載の磁気ヘッドにおいて、前記凹部の底面の素子高さ方向の高さが前記主磁極の素子高さ方向の高さより低いことを特徴とする磁気ヘッド。
【請求項１０】
請求項９記載の磁気ヘッドにおいて、前記補助磁極は、浮上面と反対側の面に前記主磁極とのバックコンタクト用の凸部を有することを特徴とする磁気ヘッド。
【請求項１１】
磁気記録層と軟磁性裏打ち層とを備える磁気記録媒体と、
前記磁気記録媒体を駆動する媒体駆動部と、
前記磁気記録媒体に対して記録再生を行う磁気ヘッドと、
前記磁気ヘッドを前記磁気記録媒体に対して駆動する磁気ヘッド駆動部とを含み、
前記磁気ヘッドは、
主磁極及び補助磁極を有する垂直磁気記録ヘッドと、
下部シールド、上部シールド、及び前記下部シールドと上部シールドの間に形成された磁気抵抗効果素子を有する再生ヘッドとを備え、
前記補助磁極、下部シールド又は上部シールドの少なくとも１つは、浮上面と反対側の面において、トラック幅方向の端部における素子高さ方向の高さよりも素子高さ方向の高さが低い凹部を有することを特徴とする磁気記録再生装置。
【発明の詳細な説明】
【技術分野】
【０００１】
本発明は、垂直磁気記録用磁気ヘッド及びその垂直磁気記録用磁気ヘッドを搭載した磁気記録再生装置に関するものである。
【背景技術】
【０００２】
磁気記録再生装置は磁気記録媒体と磁気ヘッドを備え、磁気記録媒体上のデータは磁気ヘッドによって読み書きされる。磁気記録媒体の単位面積当たりの記録容量を大きくするためには、面記録密度を高める必要がある。しかしながら、現状の面内記録方式では、記録されるビット長が小さくなると、媒体の磁化の熱揺らぎのために面記録密度を上げられない問題がある。この問題を解決できるものとして、媒体に垂直な方向に磁化信号を記録する垂直記録方式がある。
【０００３】
垂直記録方式には、記録媒体として軟磁性の裏打ち層を備えた二層垂直媒体を用いる方式と、裏打ち層を有さない単層垂直媒体を用いる方式の２種類がある。記録媒体として二層垂直媒体を用いる場合には、主磁極と補助磁極とを備えたいわゆる単磁極ヘッドを用いて記録を行うと、より強い磁界を媒体に印加することができる。主磁極の浮上面形状は、ヘッドにスキュー角がついた場合を考慮して、リーディング側の幅が狭い台形形状とするのが望ましい。
【０００４】
図４は、従来の単磁極ヘッドを備える磁気ヘッドの構造を示す略図である。図４（ａ）は断面図、図４（ｂ）はトレーリング側から見た平面図である。図４に示すように、従来の磁気ヘッドは、ヘッドの走行方向側（リーディング側）から、下部シールド８、再生素子７、上部シールド９、補助磁極３、薄膜コイル２、主磁極１の順に積層されている。下部シールド８、再生素子７、上部シールド９は再生ヘッド２４を構成し、補助磁極３、薄膜コイル２、主磁極１は記録ヘッド（単磁極ヘッド）２５を構成する。記録媒体は、磁気記録層１９の下に軟磁性の裏打ち層２０を備える。
【０００５】
また、特開２０００−２０９１３号公報には、磁気記録ヘッドにおいて磁路を構成する磁性膜パターンに不連続部を設けた構造が記載されている。
【０００６】
【特許文献１】特開２０００−２０９１３号公報
【発明の開示】
【発明が解決しようとする課題】
【０００７】
本発明は、主磁極と補助磁極を有する垂直磁気記録用ヘッドと、裏打ち層を有する二層垂直磁気記録媒体とを用いる垂直磁気記録系に関するものである。図４に示した磁気ヘッドは、再生素子と主磁極の間に補助磁極と薄膜コイルが存在するため、記録再生間隔が大きくなりフォーマット効率が劣化するという欠点がある。そのため、図５に示すように、補助磁極３を主磁極１のトレーリング側に配置する構造が適用されようとされている。この構造にすることにより、記録再生間隔を小さくできる。図５において、(ａ)は断面図、（ｂ）は平面図である。
【０００８】
また、記録ヘッド磁界の強度と共に記録ビットセルの境界を記録するヘッド磁界垂直成分プロファイルにおける磁界勾配、すなわち、ヘッド走行方向のヘッド磁界垂直成分プロファイルの磁界勾配も高い記録密度を実現するための重要な要素である。今後、さらに高い記録密度を達成するためには、さらに磁界勾配を増大しなければならない。記録磁界勾配を向上させるために、主磁極１のトレーリング側に磁性体３２を配置する構造がある。この構造の場合にも、閉磁路を形成するには補助磁極３を図５のように主磁極１のトレーリング側に配置することが望ましい。
【０００９】
このような裏打ち層を有する垂直磁気記録系において、浮遊（外部）磁界の影響を受けて媒体上の記録データが消去される現象がある。特に本発明は、外部磁界が媒体面に平行に印加された場合の記録データ消去の問題に対応するものである。図６は、ハードディスクドライブ（ＨＤＤ）にコイルにより５０Ｏｅの外部磁界を印加した場合の、ヘッド構造とディスク上のデータ消去位置を示した図である。外部磁界はディスクと平行に印加されている。データ消去の位置は３０μｍ離れており、これは、本実験で用いた補助磁極、再生シールド（上部シールド、下部シールド）の幅に相当する。図７は、媒体面に平行に外部磁界が印加された時に補助磁極に対向する磁気記録層中心での磁界を３次元磁界計算により示したものである。補助磁極の端部で磁界が大きくなることがわかる。
【００１０】
以上の事から、外部磁界によって補助磁極、再生シールドの端部でデータ消去が起こると考えられる。外部磁界が媒体面に平行に印加された場合は、裏打ち層に吸い込まれた磁束が補助磁極、再生シールドに流れる事を考えなければならない。特許文献１においても、外部磁界が媒体面に平行に印加された場合に、裏打ち層に吸い込まれた磁束が補助磁極、再生シールドに流れることについては考慮されていない。この問題は垂直磁気記録を用いたＨＤＤを実現するために解決しなくてはならない問題である。
【００１１】
そこで、本発明は、媒体面に平行に外部磁界が印加されることよって生じるデータ消去の問題を低減し、高密度の磁気記録が可能な磁気ヘッド及び磁気記録再生装置を提供することを目的とする。
【課題を解決するための手段】
【００１２】
本発明による磁気ヘッドは、下部シールド、上部シールド、及び下部シールドと上部シールドの間に挟まれた磁気抵抗効果素子を有する再生ヘッドと、主磁極及び補助磁極を有する記録ヘッドとを備え、補助磁極、下部シールド又は上部シールドの少なくとも１つは、浮上面と反対側の面において、トラック幅方向の端部における素子高さ方向の高さよりも素子高さ方向の高さが低い凹部を有する。凹部が形成された補助磁極、下部シールド又は上部シールドは、浮上面側において、トラック幅方向の端部が中央部よりも素子高さ方向に後退しているのが好ましい。
【発明の効果】
【００１３】
本発明によると、外部磁界がＨＤＤに印加された場合に、特に、外部磁界がＨＤＤの媒体と平行に印加された場合に、補助磁極、下部シールド、上部シールドの端部から漏洩する磁界を減少することができ、磁気記録層の記録ビットの劣化、消去を低減することができる。
【発明を実施するための最良の形態】
【００１４】
以下、図面を参照して本発明の実施の形態を説明する。以下の図においては、理解を容易にするため、同じ機能部分には同一の符号を付して説明する。
【００１５】
図８は、本発明による磁気記録再生装置の概念図である。磁気記録再生装置は、モータ２８によって回転する磁気ディスク（磁気記録媒体）１１上の所定位置に、サスペンションアーム１２の先端に固定されたスライダー１３に搭載された磁気ヘッドによって磁化信号の記録再生を行う。ロータリアクチュエータ１５を駆動することにより、磁気ヘッドの磁気ディスク半径方向の位置（トラック）を選択することができる。磁気ヘッドへの記録信号及び磁気ヘッドからの読み出し信号は信号処理回路３５ａ，３５ｂにて処理される。
【００１６】
図１は本発明による磁気ヘッドの一例を示す平面図模式図、図２はそのＡＡ断面を示す模式図である。図２には、磁気記録媒体の断面も併せて図示してある。この磁気ヘッドは、主磁極１と補助磁極３とを備えた記録ヘッド２５と、再生素子７を備えた再生ヘッド２４を有する記録再生複合ヘッドである。主磁極１と補助磁極３とは浮上面から離れた位置でピラー１７によって磁気的に接続され、主磁極１、補助磁極３、ピラー１７によって構成される磁気回路に薄膜コイル２が鎖交している。巨大磁気抵抗効果素子（ＧＭＲ）やトンネル磁気抵抗効果型素子（ＴＭＲ）などからなる再生素子７は、リーディング側の下部シールド８とトレーリング側の上部シールド９からなる一対の磁気シールド（再生シールド）間に配置されている。主磁極１は補助磁極３のトレーリング側に配置されている。本実施例の磁気ヘッドでは、補助磁極３、下部再生シールド８、上部再生シールド９の浮上面と反対側の面に少なくとも一つ段差が設けられて凹部が設けられている。図２において、３′，８′，９′で示した部分が凹部である。
【００１７】
図３は、本発明による磁気ヘッドの他の例を示す断面模式図である。図３に示した磁気ヘッドは、記録ヘッド２５中の主磁極１と補助磁極３の配置が図２に示した磁気ヘッドと異なり、主磁極１を補助磁極３のリーディング側に配置している。また、主磁極１のトレーリング側には磁界勾配を増加させるために磁性体３２を配置している。この磁気ヘッドも、図１及び図２に示した磁気ヘッドと同様に、補助磁極３、下部再生シールド８、上部再生シールド９の浮上面と反対側の面に少なくとも一つ段差が設けられて凹部が形成されている。図３において、符号３′，８′，９′で示した部分が凹部である。
【００１８】
図４、図５に示したような単純な長方形の補助磁極３、下部シールド８、上部シールド９を有する従来の磁気ヘッドは、ＨＤＤに外部磁界が印加された場合、補助磁極３、下部シールド８、上部シールド９から磁界が漏洩し、磁気記録層１９上のデータを消去してしまう問題を生じる。これに対して、本発明の上記実施例の磁気ヘッドは、図１に示したように補助磁極３、下部シールド８、上部シールド９の端部を浮上面より後退させ、さらに浮上面と反対側の面に段差を形成して凹部を設けている。このような構造にすることにより、補助磁極３、下部シールド、上部シールドから漏洩する磁界を減少し、磁気記録層１９に記録された情報の消去を防ぐことができる。
【００１９】
図４に示した従来構造の磁気ヘッドに対して、３次元磁界計算により、補助磁極端部から磁気記録層１９に印加される磁界を計算した。この計算においては、主磁極１の記録トラック幅は１５０ｎｍ、主磁極の膜厚は２００ｎｍとした。主磁極の材料としてはＣｏＮｉＦｅを想定した。補助磁極３は、飽和磁束密度が１．０Ｔの材料を想定し、大きさは、浮上面に露出しているトラック幅方向の幅を３０μｍ、素子高さ方向の長さを１６μｍ、膜厚を２μｍとした。上部シールド９は、飽和磁束密度が１．０Ｔの８０ａｔ％Ｎｉ−２０ａｔ％Ｆｅを想定し、大きさは、トラック幅方向の幅を３０μｍ、素子高さ方向の長さは１６μｍ、膜厚を１．３μｍとした。下部シールド８は、飽和磁束密度が１．０Ｔの８０ａｔ％Ｎｉ−２０ａｔ％Ｆｅを想定し、大きさは、浮上面に露出しているトラック幅方向の幅を３０μｍ、素子高さ方向の長さを１６μｍ、膜厚を１．２μｍとした。磁気記録媒体の裏打ち層２０の材料としてはＣｏＴａＺｒを想定し、ヘッド浮上面から裏打ち層２０の表面までの距離は４６ｎｍ、裏打ち層２０の膜厚は１５０ｎｍとした。磁気記録層の膜厚は２０ｎｍを想定した。
【００２０】
図４に示す従来構造の磁気ヘッドの場合、３次元磁界計算によると、補助磁極端部から磁気記録層１９に印加される磁界の最大値は２．９０×１０５Ａ／ｍとなった。このような大きさの磁界が記録層位置に印加されると、記録ビットの劣化あるいは消去をもたらす。
【００２１】
図１、図２及び図３に示した本発明の構造の磁気ヘッドに対しても、３次元磁界計算により、同様に補助磁極端部から磁気記録層１９に印加される磁界を計算した。主磁極の材料としてはＣｏＮｉＦｅを想定した。補助磁極３は、飽和磁束密度が１．０Ｔの材料を想定し、大きさは、全体のトラック幅方向の幅は９０μｍ、浮上面に露出しているトラック幅方向の幅を３０μｍ、素子高さ方向の長さを１６μｍ、膜厚を１μｍとした。上部シールド９は、飽和磁束密度が１．０Ｔの８０ａｔ％Ｎｉ−２０ａｔ％Ｆｅを想定し、大きさは、全体のトラック幅方向の幅は９０μｍ、浮上面に露出しているトラック幅方向の幅を３０μｍ、素子高さ方向の長さは１６μｍ、膜厚を１．３μｍとした。下部シールド８は、飽和磁束密度が１．０Ｔの８０ａｔ％Ｎｉ−２０ａｔ％Ｆｅを想定し、大きさは、全体のトラック幅方向の幅は９０μｍ、浮上面に露出しているトラック幅方向の幅を３０μｍ、素子高さ方向の長さは１６μｍ、膜厚を１．２μｍとした。補助磁極端部、上下の再生シールドの端部の浮上面からの後退量は２μｍとした。磁気記録媒体の裏打ち層２０の材料としてはＣｏＴａＺｒを想定し、ヘッド浮上面から裏打ち層２０の表面までの距離は４６ｎｍ、裏打ち層２０の膜厚は１５０ｎｍとした。磁気記録層の膜厚は２０ｎｍを想定した。
【００２２】
補助磁極３、下部シールド８、上部シールド９が図１に示す形状を有する本発明の磁気ヘッドは、上記の条件で計算すると、補助磁極端部から磁気記録層に印加される磁界の最大値は1．４１×１０５Ａ／ｍとなった。図１０は、３次元磁界計算によるトラック幅方向の磁界分布を示す図である。段差の設けられている図１に示した本発明の磁気ヘッドによると、図４に示した従来構造の磁気ヘッドより約５０％の磁界強度の減少が達成できることが分かる。
【００２３】
図１１は浮上面に露出している補助磁極、上部シールド、下部シールドの端部に対向する位置でのヘッド走行方向の磁界分布を示す図である。いずれの位置においても、本発明の構造のヘッドによる磁界の方が従来構造の磁気ヘッドによる磁界より小さくなっているのが分かる。
【００２４】
補助磁極、上部シールド及び下部シールドの形状を図１のようにしたことによる作用効果は、以下のように説明することができる。浮上面とは反対側の面に段差を設けることによりその端部に磁荷が現れる。図１の領域１の磁性体端部には領域２、３、４とは反対極性の磁荷が発生する。領域１の端部から磁束が漏れるため、段差による端部がない構造より磁性体中の磁束の量は減少する。したがって、補助磁極端部から磁気記録層に印加される磁界が減少する。なお、図２１に示すように浮上面側に段差がない構造でも、同様な原理により補助磁極端部から磁気記録層に印加される磁界を低減することができる。
【００２５】
図１２は、浮上面と反対側の面に設けた凹部の素子高さ方向の長さＬ１と凹部の浮上面に最も近い位置から浮上面からまでの距離Ｌ２の比と、補助磁極、上部シールド、下部シールドの浮上面に露出している端部から記録層に印加される磁界の最大値との関係を示したものである。横軸にとった比（Ｌ１／Ｌ２）が大きくなるにつれて、磁界が減少していることがわかる。これはＬ１の部分にでる磁化が多くなるために効果が大きくなっているためである。Ｌ１／Ｌ２の比が０．５以上であることが望ましい。Ｌ１とＬ２の和が同じならＬ１を大きくすることが好ましい。
【００２６】
特許文献１には磁路を構成する磁性膜に不連続部分を設けたヘッドが開示されている。しかし、外部磁界による消去磁界の低減については鑑みておらず、本発明の効果は得られない。ここで、図１２の計算は、補助磁極として飽和磁束密度が１．０Ｔの８０ａｔ％Ｎｉ−２０ａｔ％Ｆｅを想定し、全体のトラック幅方向の幅は９０μｍ、露出しているトラック幅方向の幅を３０μｍ、素子高さ方向の長さは１６μｍ、膜厚を１．０μｍとした。磁気記録媒体の裏打ち層２０の材料としてはＣｏＴａＺｒを想定し、ヘッド浮上面から裏打ち層２０の表面までの距離は４０ｎｍ、裏打ち層２０の膜厚は３００ｎｍもしくは１５０ｎｍとした。磁気記録層の膜厚は２０ｎｍを想定した。
【００２７】
また、図１３に示すように浮上面側の段差より凹部側の段差が内側に入っていることでより効果が大きくなる。図１４は、浮上面側の段差と凹部側の段差のトラック幅方向のずれ量Ｌ３と、補助磁極、上部シールド、下部シールドの浮上面に露出している端部から記録層に印加される磁界の最大値との関係を示したものである。横軸は、浮上面側の段差と凹部側の段差のトラック幅方向のずれ量Ｌ３に対するトラック中心から浮上面側の段差までの長さＬ４の比である。図１４から分かるように、浮上面側の段差と凹部側の段差のトラック幅方向のずれ量Ｌ３があると、補助磁極、上部シールド、下部シールドの浮上面に露出している端部から記録層に印加される磁界を低減できる。図１３の領域１の磁性体の端部には領域２，３，４とは反対極性の磁荷が発生するが、ずれ量Ｌ３があると、磁束の流れが変化し、領域２に対する影響が大きくなり、磁性体中の磁束の量は減少するからである。ただし、Ｌ３が大きすぎると凹部が小さくなるので本発明の効果が得られなくなる。Ｌ３／Ｌ４の比は０．５程度が望ましい。
【００２８】
図９に、垂直記録用磁気ヘッド１４と磁気ディスク１１との関係及び垂直記録の概略を示す。記録ヘッド２５の主磁極１から出た磁界は磁気ディスク媒体１１の磁気記録層１９、軟磁性裏打ち層２０を通り、補助磁極３に入る磁気回路を形成し、磁気記録層１９に磁化パターンを記録する。磁気記録層１９と軟磁性裏打ち層２０の間には中間層が形成されている場合もある。再生ヘッド２４の再生素子７には巨大磁気抵抗効果素子（ＧＭＲ）やトンネル磁気抵抗効果型素子（ＴＭＲ）などが用いられる。
【００２９】
図１５は、本発明による磁気ヘッドの他の例を示す平面模式図である。媒体面に垂直方向に印加される外部磁界耐性、記録磁界の再生素子への回りこみを考慮した場合、補助磁極、上部シールド、下部シールドの素子高さは低い方が良い。そこで、この例に示す磁気ヘッドは、補助磁極３、上部シールド９、下部シールド８の浮上面と反対側の面に段差をもたせ、主磁極１と補助磁極３を接続するためのピラー部を設けるために凸部をもたせて形成した。この構造にすることにより、補助磁極３、下部シールド８、上部シールド９から記録媒体に印加される磁界を低減することができる。
【００３０】
図１６は、本発明による磁気ヘッドの他の例を示す平面模式図である。図１６（ａ）は補助磁極３の平面図、図１６（ｂ）は上部シールドと下部シールドの平面図である。下部シールド８及び上部シールド９にはバックコンタクト部分を設ける必要がないので、図１６（ｂ）に示したように凸部をもたせず、補助磁極３のみに凸部をもたせるようにした。
【００３１】
図１７は、本発明による磁気ヘッドの他の例を示す平面模式図である。本実施例では、補助磁極３、上部シールド９、下部シールド８の浮上面と反対側の面に複数の凹部を設けた。この構造によっても、凹部の段差を生じている面に磁荷が生じ、補助磁極３、下部シールド８、上部シールド９から記録媒体に印加される磁界を低減することができる。
【００３２】
図１８は、本発明による磁気ヘッドの他の例を示す平面模式図である。本実施例では、補助磁極３、上部シールド９、下部シールド８の浮上面と反対側の面に、素子高さ方向の位置が異なる複数の凹部を設けた。図１８（ａ）はバックコンタクト用の凸部がある例を示し、図１８（ｂ）は補助磁極３のみにバックコンタクト用の凸部を設け、下部シールド８と上部シールド９にはバックコンタクト用の凸部を設けない例を示している。
【００３３】
図１９は、本発明による磁気ヘッドの他の例を示す平面模式図である。本実施例は、補助磁極、上部シールド、下部シールドの浮上面と反対側の面に凹部を設けるために、補助磁極、上部シールド、下部シールドをそれぞれ磁気的に結合した３枚の磁性体から形成した例を示している。矩形の補助磁極３の両脇に、間隔Ｓをおいて、素子高さ方向に補助磁極３より高い位置まで延びる矩形の磁性体３３を配置した。同様に、矩形の下部シールド８の両脇に間隔Ｓをおいて素子高さ方向に下部シールド８より高い位置まで延びる矩形の磁性体３８を配置し、矩形の上部シールド９の両脇に間隔Ｓをおいて素子高さ方向に上部シールド９より高い位置まで延びる矩形の磁性体３８を配置した。このような構造によっても、図１に示した構造と同じ効果が得られる。ただし、中心に位置する磁性体と両脇の磁性体の間隔Ｓが広がると効果が得られなくなるので、中心と端の磁性体の間隔Ｓは２μｍ以下が望ましい。
【００３４】
図２０は、本発明による磁気ヘッドの他の例を示す平面模式図である。本実施例の磁気ヘッドは、補助磁極、上部シールド、下部シールドの浮上面と反対側の面に凹部を設け、その凹部を補助磁極、上部シールド、下部シールドより透磁率の低い材料で埋めた例である。補助磁極３の凹部を透磁率の低い材料４３で埋め、下部シールド８の凹部を透磁率の低い材料４８で埋め、上部シールド９の凹部を透磁率の低い材料４９で埋めた。本実施例の補助磁極、上部シールド、下部シールドによると、透磁率に差があるため磁束の流れに変化がおこり、補助磁極３、下部シールド８、上部シールド９から記録媒体に印加される磁界を低減することができる。本実施例では、補助磁極、上部シールド、下部シールドより凹部に埋められる材料の比透磁率は５００程度小さくした。透磁率の差が５００より小さいと、所望の効果が得られない可能性がある。また、凹部磁性体４３があるのでバックコンタクトの接合部分として活用できる利点がある。例えば、補助磁極３、下部シールド８、上部シールド９に８０ａｔ％Ｎｉ−２０ａｔ％Ｆｅを用い、それより透磁率の低い４５ａｔ％Ｎｉ−５５ａｔ％Ｆｅを凹部の補助磁極４３、下部シールド４８、上部シールド４９に用いることができる。
【図面の簡単な説明】
【００３５】
【図１】本発明による磁気ヘッドの一例を示す平面模式図。
【図２】本発明による磁気ヘッドの一例を示す断面模式図。
【図３】本発明による磁気ヘッドの他の例を示す断面模式図。
【図４】従来の磁気ヘッドの構造を示す図。
【図５】別の磁気ヘッドの構造を示す図。
【図６】従来の磁気ヘッドにおけるトラック幅方向位置と出力減少量との関係を示す図。
【図７】従来の磁気ヘッドに外部磁界が印加された時に補助磁極から磁気記録層に印加される磁界を示した図。
【図８】磁気記録再生装置の概略図。
【図９】垂直記録の概略説明図。
【図１０】本発明による磁気ヘッドに外部磁界が印加された時に補助磁極から磁気記録層に印加される磁界を示した図（トラック幅方向）。
【図１１】本発明による磁気ヘッドに外部磁界が印加された時に補助磁極から磁気記録層に印加される磁界を示した図（ヘッド走行方向）。
【図１２】本発明による磁気ヘッドに外部磁界が印加された時に補助磁極／下部シールド／上部シールドから磁気記録層に印加される磁界と凹部の長さＬ１と凹部の浮上面に最も近い位置から浮上面からまでの距離Ｌ２の比との関係を示した図。
【図１３】本発明による磁気ヘッドの他の例を示す平面模式図。
【図１４】本発明による磁気ヘッドに外部磁界が印加された時に補助磁極／下部シールド／上部シールドから磁気記録層に印加される磁界と浮上面側の段差と凹部側の段差のトラック幅方向のずれ量Ｌ３との関係を示した図。
【図１５】本発明による磁気ヘッドの他の例を示す平面模式図。
【図１６】本発明による磁気ヘッドの他の例を示す平面模式図。
【図１７】本発明による磁気ヘッドの他の例を示す平面模式図。
【図１８】本発明による磁気ヘッドの他の例を示す平面模式図。
【図１９】本発明による磁気ヘッドの他の例を示す平面模式図。
【図２０】本発明による磁気ヘッドの他の例を示す平面模式図。
【図２１】本発明による磁気ヘッドの他の例を示す平面模式図。
【符号の説明】
【００３６】
１…主磁極、２…薄膜導体コイル、３…補助磁極、７…再生素子、８…下部シールド、９…上部シールド、１１…磁気ディスク、１２…サスペンションアーム、１３…磁気ヘッドスライダー、１４…磁気ヘッド、１５…ロータリアクチュエータ、１６…記録ヘッド、１７…ピラー、１９…磁気記録層、２０…裏打ち層、２４…再生ヘッド、２５…記録ヘッド、３２…磁性体、３５…パッケージボード、３０…外部磁界シールド、３１…外部磁界シールド、３′…補助磁極の凹部分、８′…下部シールドの凹部分、９′…上部シールドの凹部分
【図１】
2006114160.tif 000003
【図２】
2006114160.tif 000004
【図３】
2006114160.tif 000005
【図４】
2006114160.tif 000006
【図５】
2006114160.tif 000007
【図６】
2006114160.tif 000008
【図７】
2006114160.tif 000009
【図８】
2006114160.tif 000010
【図９】
2006114160.tif 000011
【図１０】
2006114160.tif 000012
【図１１】
2006114160.tif 000013
【図１２】
2006114160.tif 000014
【図１３】
2006114160.tif 000015
【図１４】
2006114160.tif 000016
【図１５】
2006114160.tif 000017
【図１６】
2006114160.tif 000018
【図１７】
2006114160.tif 000019
【図１８】
2006114160.tif 000020
【図１９】
2006114160.tif 000021
【図２０】
2006114160.tif 000022
【図２１】
2006114160.tif 000023